(57)【特許請求の範囲】
【請求項１】
外周縁部が不均一な厚みおよび縁線であり、かつ、透光性を有する和紙素材に開口部（11）が形成された和紙額縁（１）の背面側において、この和紙額縁（１）の外周縁部の内側に、透光性を有する裏打ち板（２）が止着されている一方、
前記開口部（11）の縁部の舌片（11ａ）が背面側に折り返されて、ポケット板体（31）に止着されることによって、展示物を収容可能なポケット部（３）が形成されているとともに、
このポケット部材（３）の背面には、光源（41）が収容された照明ボックス（４）が着脱自在に止着可能であって、
和紙額縁（１）を壁面に展示して光源（41）を点灯したとき、照明ボックス（４）の側面からの光が、前記裏打ち板（２）を透光して和紙額縁（１）の表面を発光させるとともに、当該裏打ち板（２）の背面を反射して展示壁面を照射可能であることを特徴とする発光和紙額縁。
【請求項２】
和紙額縁（１）の開口部（11）の縁部の舌片（11ａ）が背面側に折り返され、舌片（11ａ）に形成されたスリット（11ｂ）内にポケット板体（31）に形成された凸部（31ａ）が挿通して止着されていることを特徴とする請求項１記載の発光和紙額縁。
【請求項３】
照明ボックス（４）の側面が透光性を有することを特徴とする請求項１または２記載の発光和紙額縁。
【請求項４】
照明ボックス（４）の側面に孔部が形成されていることを特徴とする請求項１〜３の何れか一つに記載の発光和紙額縁。
【請求項５】
ポケット部材（３）のポケット板体（31）に壁面止着手段（31ｂ）が配設されていることを特徴とする請求項１〜４の何れか一つに記載の発光和紙額縁。
【発明の詳細な説明】
【技術分野】
【０００１】
本発明は、額縁の改良、更に詳しくは、和紙材料の低強度を克服して素材の風合いを存分に表現することができ、しかも、額縁の表面だけでなく設置壁面までも照らすことができる発光和紙額縁に関するものである。
【背景技術】
【０００２】
絵画や写真などの美術品を鑑賞する場合、額縁の中に入れて展示されることがあるが、この額縁そのものにも種々の素材を使用したりデザインが施されることによって、展示する絵画や写真などの芸術性をより引き立てることができる。
【０００３】
従来、額縁の装飾性を高めるものとして、額縁の素材に和紙を使用したものが知られているが、和紙は薄くて形態安定性が悪いため、そのままで使用することは困難であることから、和紙に格子状のフレームを設けて補強したものが開示されている（例えば、特許文献１参照）。
【０００４】
しかしながら、かかる従来技術の構造では、この格子が和紙よりも前面に出ていて和紙を隠してしまい、和紙そのものの風合いを主張することができないという不満があった。特に、「手漉き和紙」のように紙厚に濃淡があり、外周縁部の厚みや縁線が不均一になっているような独特の風合いがある和紙材料を使用する場合は、折角のこの風合いを没却してしまうという問題があった。
【０００５】
また、和紙を額縁の材料に使用する場合、展示物の形状に合わせて刳り抜いて開口部を形成することもできるが、額縁の連続性が失われて外観を損ねてしまうことから、仕舞いの良いスッキリとした収容部分の構造が必要である。
【０００６】
更にまた、額縁の装飾性を高めるものとして、後方から照明を額縁に照射する構造のものが開示されている（例えば、特許文献２参照）。
【０００７】
しかしながら、かかる額縁の構造は、額縁に設けられた孔を照明の光が通過するのみであるため、額縁の素材の特性を主張することができず、むしろ、孔以外の部分が不透光であり、また、正面から額縁が発光して見えても、設置壁面までは何ら演出効果が及ばないため、装飾性に今一つ物足りなさがあった。
【先行技術文献】
【特許文献】
【０００８】
【特許文献１】実開昭６２−１８５５７１号公報
【特許文献２】実公昭４０−３１５７２号公報
【発明の概要】
【発明が解決しようとする課題】
【０００９】
本発明は、従来の額縁に上記のような問題があったことに鑑みて為されたものであり、その目的とするところは、和紙材料の低強度を克服して素材の風合いを存分に表現することができ、しかも、額縁の表面だけでなく設置壁面までも照らすことができる発光和紙額縁を提供することにある。
【課題を解決するための手段】
【００１０】
本発明者が上記技術的課題を解決するために採用した手段を、添付図面を参照して説明すれば、次のとおりである。
【００１１】
即ち、本発明は、外周縁部が不均一な厚みおよび縁線であり、かつ、透光性を有する和紙素材に開口部11を形成した和紙額縁１の背面側において、この和紙額縁１の外周縁部の内側に、透光性を有する裏打ち板２を止着する一方、
前記開口部11の縁部の舌片11ａを背面側に折り返して、ポケット板体31に止着することによって、展示物を収容可能なポケット部３を形成するとともに、
このポケット部材３の背面には、光源41を収容した照明ボックス４を着脱自在に止着可能にして、
和紙額縁１を壁面に展示して光源41を点灯したとき、照明ボックス４の側面からの光を、前記裏打ち板２を透光させて和紙額縁１の表面を発光させるとともに、当該裏打ち板２の背面を反射させて展示壁面を照射可能にするという技術的手段を採用したことによって、発光和紙額縁を完成させた。
【００１２】
また、本発明は、上記課題を解決するために、必要に応じて上記手段に加え、和紙額縁１の開口部11の縁部の舌片11ａを背面側に折り返して、舌片11ａに形成されたスリット11ｂ内にポケット板体31に形成された凸部31ａを挿通して止着するという技術的手段を採用することができる。
【００１３】
更にまた、本発明は、上記課題を解決するために、必要に応じて上記手段に加え、照明ボックス４の側面が透光性を有するようにするという技術的手段を採用することができる。
【００１４】
更にまた、本発明は、上記課題を解決するために、必要に応じて上記手段に加え、照明ボックス４の側面に孔部を形成するという技術的手段を採用することができる。
【００１５】
更にまた、本発明は、上記課題を解決するために、必要に応じて上記手段に加え、ポケット部材３のポケット板体31に壁面止着手段31ｂを配設するという技術的手段を採用することができる。
【発明の効果】
【００１６】
本発明は、外周縁部が不均一な厚みおよび縁線であり、かつ、透光性を有する和紙素材に開口部を形成した和紙額縁の背面側において、この和紙額縁の外周縁部の内側に、透光性を有する裏打ち板を止着する一方、前記開口部の縁部の舌片を背面側に折り返して、ポケット板体に止着することによって、展示物を収容可能なポケット部を形成するとともに、このポケット部材の背面には、光源を収容した照明ボックスを着脱自在に止着可能にしたことによって、
和紙額縁を壁面に展示して光源を点灯したとき、照明ボックスの側面からの光を、前記裏打ち板を透光させて和紙額縁の表面を発光させるとともに、当該裏打ち板の背面を反射させて展示壁面を照射することができる。
【００１７】
したがって、本発明の発光和紙額縁によれば、裏打ち板を止着したことにより、和紙材料の低強度を克服して、素材の風合いを存分に表現することができる。特に、手漉き工程によって製造された和紙のような、外周縁部が不均一な厚みおよび縁線である手作り感の豊かな材料そのものを鑑賞して楽しむことができる。
【００１８】
また、裏打ち板は透光とともに反射もするため、額縁の表面だけでなく設置壁面までも照らすことができ、和紙の厚みの濃淡や風合いを楽しむことができるとともに、壁面を間接照明的に照らすことによって、幻想的なイメージを醸し出すこともできることから、産業上の利用価値は頗る大きい。
【図面の簡単な説明】
【００１９】
【図１】本発明の実施形態の発光和紙額縁の構造を表わす分解斜視図である。
【図２】本発明の実施形態の発光和紙額縁の構造を表わす分解斜視図である。
【図３】本発明の実施形態の発光和紙額縁の構造を表わす斜視図である。
【図４】本発明の実施形態の発光和紙額縁の構造を表わす分解斜視図である。
【図５】本発明の実施形態の発光和紙額縁の変形例の構造を表わす斜視図である。
【発明を実施するための形態】
【００２０】
本発明の実施形態を図１から図５に基づいて説明する。図中、符号１で指示するものは和紙額縁であり、符号２で指示するものは裏打ち板、符号３で指示するものはポケット部材、符号４で指示するものは照明ボックスである。
【００２１】
しかして、本発明の発光和紙額縁を構成するにあっては、まず、和紙額縁１を構成する。この和紙額縁１に使用する和紙素材は、外周縁部が不均一な厚みおよび縁線であり、かつ、透光性を有するものを採用する。具体的には、コウゾ、ミツマタ、ガンピなどを原料として、手漉き工程によって製造されたものが風合いが良いために好ましい。
【００２２】
次に、この和紙額縁１には開口部11を形成する。本実施形態では、中央部に略矩形の開口部11を一つ形成するが、複数の開口部11を形成することもできる。
【００２３】
そして、この和紙額縁１の背面側において、この和紙額縁１の外周縁部の内側（本実施形態では外周縁部の内側約５〜１０ｍｍに沿うように）に、透光性を有する裏打ち板２を止着する（図１参照）。この裏打ち板２は所定の剛性ないし可撓性を有しており、アクリルやポリカーボネート、ポリエチレンテレフタレート、ポリスチレン、ポリプロピレン、ポリエチレンなどの透明ないし半透明のプラスチック材料を採用することが好ましい。
【００２４】
なお、これら和紙額縁１および裏打ち板２の止着手段としては、透光性を阻害しない接着剤を使用して貼着することが好ましい。
【００２５】
次いで、前記開口部11の縁部の舌片11ａを背面側に折り返して、ポケット板体31に止着する（図２参照）。本実施形態では、舌片11ａに形成されたスリット11ｂ内にポケット板体31に形成された凸部31ａを挿通することによって、和紙が破れ難く確実に止着することができる（図３参照）。
【００２６】
こうして、展示物を収容可能なポケット部３を形成することができ、展示物を上側から差し入れて開口部11に露出させることができるとともに、舌片11ａを背面側に折り返したことにより、正面から鑑賞した場合に、和紙が奥側に連続した一体感のある外観を呈することができる。この際、ポケット部３の角部に生じる隙間は目張り等で適宜閉塞して見栄えを向上させることができる。
【００２７】
そして、ポケット部材３の背面には、光源41が収容された照明ボックス４を着脱自在に止着することができる（図４参照）。光源41には発光ダイオード（ＬＥＤ）が採用できるほか、白熱電球を採用することもでき、設置する数量や位置、色は適宜選択することができる。また、電力は電池や商用電源などから供給することができる。
【００２８】
また、ポケット部材３および照明ボックス４の着脱手段としては、使い勝手の観点から面ファスナを採用することが好ましいが、ホックや粘着テープなどを採用することもできる。
【００２９】
そして、和紙額縁１を壁面に展示して光源41を点灯したとき、照明ボックス４の側面からの光が、前記裏打ち板２を透光して和紙額縁１の表面を発光させるとともに、当該裏打ち板２の背面を反射して展示壁面を照射可能である。
【００３０】
このように照明ボックス４の側面から光を照射できるように、本実施形態では、照明ボックス４の材料自体に透光性のあるもの（アクリルやポリカーボネート、ポリエチレンテレフタレート、ポリスチレン、ポリプロピレン、ポリエチレンなどの透明ないし半透明のプラスチック材料など）を採用して、側面に透光性を付与したものであっても良いし、照明ボックス４自体の材料には透光性が無くても、側面に孔部を形成することによって、側面に透光性を付与したものであっても良い。
【００３１】
なお、本実施形態では、図５に示すように、ポケット部材３のポケット板体31に壁面止着手段31ｂを配設することができ、例えば、壁面止着手段31ｂとして吸盤を採用して、窓ガラスに止着することによって、窓の外の日光を裏打ち板２に照射して、和紙額縁１の表面を発光させることもできる。
【００３２】
本発明は、概ね上記のように構成されるが、図示の実施形態に限定されるものでは決してなく、「特許請求の範囲」の記載内において種々の変更が可能であって、例えば、和紙額縁１の外周縁部の形状は略矩形のものに限らず、円形や楕円形、多角形や異形のものにすることができ、適宜、この和紙額縁１の外周縁部の形状に合わせて、その内側に裏打ち板２を止着することができる。
【００３３】
また、和紙額縁１に複数の開口部11を形成した場合には、それぞれにポケット部材３を設けることができ、照明ボックス４は個別あるいは全体を一つとして配設することもでき、これら何れのものも本発明の技術的範囲に属する。
【符号の説明】
【００３４】
１    和紙額縁
11    開口部
11ａ  舌片
11ｂ  スリット
２    裏打ち板
３    ポケット部材
31    ポケット板体
31ａ  凸部
31ｂ  壁面止着手段
４    照明ボックス
41    光源
【図１】
0006535939.tif 000002
【図２】
0006535939.tif 000003
【図３】
0006535939.tif 000004
【図４】
0006535939.tif 000005
【図５】
0006535939.tif 000006